(57)【要約】【課題】  観察した被験者のデータを集中的に管理して、迅速なデータの利用と確実なデータの保護とを可能にする内視鏡装置を実現する。【解決手段】  キーボード７０を介して入力されたパスワードが、予め設定されていたものと一致したとシステムコントロール回路４２によって判断されると、入力された被験者の情報を示す被験者データが生成される。生成された被験者データは、内部メモリ５２に記録された後に、メモリカード８０に記録される。そして、外部コンピュータにおいて、所定の読出用パスワードが入力されると、メモリカード８０に記録された被験者データの読出し、加工等が可能となる。【選択図】        図１
2007075324.tif 000002
【特許請求の範囲】
【請求項１】
入力された被験者の情報を示す被験者データを生成する被験者データ生成手段と、
前記被験者データを記録媒体に記録させる記録手段と、
パスワードを設定するパスワード設定手段とを備え、
設定された前記パスワードが入力されると、前記記録手段が前記被験者データを前記記録媒体に記録させることが可能であることを特徴とする内視鏡装置。
【請求項２】
前記被験者データを一時的に記録するための内部メモリをさらに有し、前記記録手段が、前記記録媒体に記録させる前に前記被験者データを前記内部メモリに記録させることを特徴とする請求項１に記載の内視鏡装置。
【請求項３】
前記被験者データを前記内部メモリから消去するデータ消去手段をさらに有することを特徴とする請求項２に記載の内視鏡装置。
【請求項４】
前記パスワードが入力されると、前記データ消去手段が、前記被験者データを前記内部メモリから消去可能となることを特徴とする請求項３に記載の内視鏡装置。
【請求項５】
前記記録手段が前記記録媒体に前記被験者データを記録させると、前記データ消去手段が、前記記録媒体に記録された前記被験者データを前記内部メモリから消去することを特徴とする請求項３に記載の内視鏡装置。
【請求項６】
前記データ消去手段が、前記内部メモリの有するデータ容量を越えないように、前記被験者データの少なくとも一部を消去することを特徴とする請求項３に記載の内視鏡装置。
【請求項７】
前記記録手段が前記被験者データを前記内部メモリに新たに記録させると前記データ容量を越える場合に、前記データ消去手段が前記被験者データの一部を消去する必要があることを警告する警告手段をさらに有することを特徴とする請求項６に記載の内視鏡装置。
【請求項８】
前記データ消去手段が、前記内部メモリに記録された前記被験者データのうち、最も古い時期に生成された前記被験者データから優先的に消去することを特徴とする請求項６に記載の内視鏡装置。
【請求項９】
前記被験者データが、前記被験者の検査履歴を示す履歴データを含むことを特徴とする請求項１に記載の内視鏡装置。
【請求項１０】
前記被験者データが、前記被験者データが生成された前記内視鏡装置を特定するための内視鏡装置データを含むことを特徴とする請求項１に記載の内視鏡装置。
【請求項１１】
前記被験者の画像データを生成する画像データ生成手段をさらに有し、前記記録手段が、前記画像データを含まずに、前記被験者データのみを記録媒体に記録可能であることを特徴とする請求項１に記載の内視鏡装置。
【請求項１２】
請求項１に記載の内視鏡装置と、前記被験者データを記録させるための前記記録媒体とを備えることを特徴とする内視鏡システム。
【請求項１３】
前記被験者データを前記記録媒体から読出すためのデータ読出装置をさらに有することを特徴とする請求項１２に記載の内視鏡システム。
【請求項１４】
前記被験者データ読出装置が、前記被験者データを読出すための読出用パスワードを設定する読出用パスワード設定手段をさらに有し、設定された前記読出用パスワードが入力されると、前記被験者データが前記記録媒体から読出し可能となることを特徴とする請求項１３に記載の内視鏡システム。
【発明の詳細な説明】
【技術分野】
【０００１】
本発明は、内視鏡装置に関し、特に、観察した被験者のデータを管理する機能を備えた内視鏡装置に関する。
【背景技術】
【０００２】
従来の医療用の内視鏡装置は、観察により得られた被験者等の画像データを、その被験者の氏名、観察者のコメントなど、画像データの簡単な説明とともに、記録媒体、もしくは内部メモリに記録する機能を有する（例えば特許文献１参照）。そして、画像データに基づく画像は、必要に応じて、例えば印刷されて使用される。
【特許文献１】特開２００２−２３３５３５号公報（段落［００２２］等参照）
【０００３】
一方、画像データとは直接関連のない検査履歴等の情報を含む、より詳細な被験者のデータは、従来、内視鏡装置を含む内視鏡システムに含まれないカルテ等の帳簿に記録されている。
【発明の開示】
【発明が解決しようとする課題】
【０００４】
検査履歴等の被験者のデータが被験者の画像データと共に一元化管理されていない従来の内視鏡装置においては、医師等が被験者のデータを知りたいときに、必ずしもそのときに必要ではない画像データを読出すと共に、被験者のデータを記録した資料を別途確認する必要が生じ、迅速な作業の妨げとなる場合がある。また、被験者のデータは保護されるべき個人情報であるところ、それのみを集中的に管理しない場合、漏洩するおそれが生じ得る。
【０００５】
本発明は、観察した被験者のデータを集中的に管理して、迅速なデータの利用と確実なデータの保護とを可能にする内視鏡装置を実現することを目的とする。
【課題を解決するための手段】
【０００６】
本発明の内視鏡装置は、入力された被験者の情報を示す被験者データを生成する被験者データ生成手段と、被験者データを記録媒体に記録させる記録手段と、パスワードを設定するパスワード設定手段とを備え、設定されたパスワードが入力されると、記録手段が被験者データを記録媒体に記録させられることを特徴とする。
【０００７】
内視鏡装置は、被験者データを一時的に記録するための内部メモリをさらに有し、記録手段が、記録媒体に記録させる前に被験者データを内部メモリに記録させることが好ましい。
【０００８】
内視鏡装置は、被験者データを内部メモリから消去するデータ消去手段をさらに有することが望ましい。そしてこの場合、パスワードが入力されると、データ消去手段が、被験者データを内部メモリから消去可能となることがより望ましい。
【０００９】
記録手段が記録媒体に被験者データを記録させると、データ消去手段が、記録媒体に記録された被験者データを内部メモリから消去することが好ましい。また、データ消去手段は、内部メモリの有するデータ容量を越えないように、被験者データの少なくとも一部を消去することが好ましい。
【００１０】
内視鏡装置は、記録手段が被験者データを内部メモリに新たに記録させるとデータ容量を越える場合に、データ消去手段が被験者データの一部を消去する必要があることを警告する警告手段をさらに有することが望ましい。また、データ消去手段は、内部メモリに記録された被験者データのうち、最も古い時期に生成された被験者データから優先的に消去することが好ましい。
【００１１】
被験者データは、例えば被験者の検査履歴を示す履歴データを含む。また、被験者データは、例えば、被験者データが生成された内視鏡装置を特定するための内視鏡装置データを含む。
【００１２】
内視鏡装置は、被験者の画像データを生成する画像データ生成手段をさらに有し、記録手段が、画像データを含まずに、被験者データのみを記録媒体に記録可能であることが好ましい。
【００１３】
本発明の内視鏡システムは、先述の内視鏡装置と、被験者データを記録させるための記録媒体とを備えることを特徴とする。内視鏡システムは、被験者データを記録媒体から読出すためのデータ読出装置をさらに有することが好ましい。そして被験者データ読出装置は、被験者データを読出すための読出用パスワードを設定する読出用パスワード設定手段をさらに有し、設定された読出用パスワードが入力されると、被験者データが記録媒体から読出し可能となることがより好ましい。
【発明の効果】
【００１４】
本発明によれば、観察した被験者のデータを集中的に管理し、迅速なデータの利用と、確実なデータの保護とを可能にする内視鏡装置を実現できる。
【発明を実施するための最良の形態】
【００１５】
以下、本発明の実施形態を、図面を参照して説明する。図１は、本実施形態の内視鏡システムに含まれる電子内視鏡装置のブロック図である。
【００１６】
内視鏡システム１０には、電子内視鏡装置２０が含まれる。電子内視鏡装置２０は、被写体の撮影に用いられるビデオスコープ３０と、ビデオスコープ３０から送られてくる画像信号を処理するプロセッサ４０とを備える。ビデオスコープ３０は、プロセッサ４０に着脱自在に取付けられ、使用される。プロセッサ４０には、被写体画像等を表示するモニタ６０と、オペレータが指示信号等を入力するためのキーボード７０とがそれぞれ接続されている。
【００１７】
内視鏡システム１０には、データを記録するためにプロセッサ４０に挿入されて使用されるメモリカード８０と、メモリカード８０に記録されたデータを読出すための、電子内視鏡装置２０とは独立した外部コンピュータ（データ読出装置・図示せず）とが含まれる。また内視鏡システム１０においては、電子内視鏡装置２０を含む複数の内視鏡装置が使用される。
【００１８】
プロセッサ４０には、プロセッサ４０全体を制御するシステムコントロール回路４２、画像信号を処理する信号処理回路４４等が設けられている。システムコントロール回路４２の制御の下で光源用電源４６から電力を供給された光源４８は、照明光を出射する。この照明光は、光量が調整された後に、ライトガイド５０の入射端５０Ａに入射する。ライトガイド５０を通った照明光は、ビデオスコープ３０の先端部から、被写体である被験者の体内に向けて出射される。
【００１９】
被写体で反射した照明光は、ビデオスコープ３０の先端にあるＣＣＤ（画像データ生成手段・図示せず）の受光面に到達し、ＣＣＤにより被写体を示す画像信号が生成される。この画像信号に所定の処理が施され、輝度信号Ｙ、色差信号Ｃｂ、Ｃｒが生成される。輝度信号Ｙ、色差信号Ｃｂ、Ｃｒは、信号処理回路４４に送信され、さらなる処理が施された後に、モニタ６０に出力される。この結果、被写体の動画像がモニタ６０の画面上にリアルタイムで表示される。
【００２０】
さらに、輝度信号Ｙと色差信号Ｃｂ、Ｃｒとからなる画像データは、システムコントロール回路４２の制御により、内部メモリ５２に設けられた画像データ用メモリ（図示せず）に記録される。そして、メモリカード８０が、カードスロット５４に挿入されている状態で、キーボード７０から所定の信号が入力されると、システムコントロール回路４２により、画像データ用メモリから画像データが読出され、この画像データはメモリカード８０に記録される。
【００２１】
また、ビデオスコープ３０にはフリーズボタン（図示せず）が設けられており、フリーズボタンが押下されると、静止画像を生成するための信号がシステムコントロール回路４２に送られる。この結果、静止画像の画像データが生成され、静止画像の画像データも画像データ用メモリに記録される。
【００２２】
内視鏡システム１０においては、以下のように、被験者の情報を示す被験者データを、画像データを含まずに、特定の者のみがアクセスできるように保護しつつ記録することができる。まず、オペレータは、被写体の観察に先立って、キーボード７０を用いてパスワードを入力する。そして、入力されたパスワードに応じた信号がシステムコントロール回路４２に送られ、この入力されたパスワードが、予め設定されていたものと一致するか否かが、システムコントロール回路４２によって判断される。なおパスワードは、オペレータごとにではなく、内視鏡装置ごとに設定されているため、ここでは電子内視鏡装置２０について設定されているパスワードが入力される。
【００２３】
システムコントロール回路４２により、入力されたパスワードと既に設定されていたものとが一致したと判断されると、モニタ６０の画面上に、パスワードが一致したことを示す文字が表示される。そして、この状態でオペレータがキーボード７０を通じて被験者の情報を入力すると、システムコントロール回路４２により被験者データが生成される。生成された被験者データは、システムコントロール回路４２の制御により、内部メモリ５２に設けられた被験者データ用メモリ（図示せず）に記録される。このとき、モニタ６０の画面上には、被験者データ用メモリに被験者データが記録されたことを伝えるメッセージが表示される。
【００２４】
一方、システムコントロール回路４２によりパスワードが一致しなかったと判断された場合においては、生成された被験者データは、システムコントロール回路４２の制御によって、被験者データ用メモリに記録することができない。そしてこの場合、被験者データが記録されないことを知らせるメッセージがモニタ６０の画面上に表示される。
【００２５】
被験者データには、被験者の検査履歴を示す履歴データと、被験者データを生成した内視鏡装置、すなわち電子内視鏡装置２０を特定するための内視鏡装置データとが含まれる。履歴データには、例えば被験者の氏名、年齢、性別、ＩＤ番号、観察の日時等が含まれ、内視鏡装置データには、使用されているビデオスコープ３０とプロセッサ４０との組合せを特定すべく、これらのシリアルナンバー等が含まれる。
【００２６】
メモリカード８０がカードスロット５４に挿入されている状態で、キーボード７０を操作して指示信号をシステムコントロール回路４２に送ることにより、被験者データ用メモリに記録された被験者データをメモリカード８０に記録させることができる。ここで、被験者データ用メモリに記録されていた被験者データがメモリカード８０に記録されると、再びパスワードを入力することを要求するメッセージがモニタ６０の画面上に表示される。そして、設定されていたパスワードが再度入力されると、システムコントロール回路４２によって、メモリカード８０に記録済みの被験者データは被験者データ用メモリから消去される。
【００２７】
なお、既に多くの、例えばのべ１０００人分の被験者データが被験者データ用メモリに記録されており、被験者データ用メモリの空き容量が少なく、新たな被験者データが生成されるとその被験者データは被験者データ用メモリに記録できないとシステムコントロール回路４２が判断したときには、さらなる被験者データの記録のためには、被験者データ用メモリに記録された被験者データの一部を削除する必要があることを伝える警告メッセージが、新たな被験者データの生成に先立ってモニタ６０の画面上に表示される。このため、オペレータは、被験者データ用メモリに記録されている被験者データの一部、もしくは全部を予めメモリカード８０に移動させることができる。
【００２８】
そして、この警告表示にも関わらず、被験者データ用メモリの被験者データがメモリカード８０に移動されず、被験者データが被験者データ用メモリから消去されることなしに新たな被験者データが生成されたときには、被験者データの一部が自動的に消去される。このとき、被験者データ用メモリのデータ容量を越えず、なおかつそのデータ容量の許容範囲内で最大限の被験者データを記録させておくように、最も古い時期に生成された被験者データから優先的に消去される。以上のように、メモリカード８０には、画像データを除く被験者データのみを記録させることができる。
【００２９】
メモリカード８０に記録された被験者データを読出す外部コンピュータにおいては、被験者データ読出し用のパスワードとして、被験者データを記録させるためのパスワードと同じものが設定されている。そして、外部コンピュータにメモリカード８０がセットされた状態で、読出用パスワードが入力されると、被験者データの読出し、および加工が可能となる。このように、被験者データへのアクセス時にパスワード入力を要することにより、被験者データの読出し等ができる者を、医師を始めとする内視鏡システム１０の使用者等に限定することができる。
【００３０】
ここで、これらのパスワードは、内視鏡システム１０に含まれる内視鏡装置ごとに設定できるため、電子内視鏡装置２０を含む複数の内視鏡装置を使用する内視鏡システム１０において、生成された内視鏡装置ごとに被験者データを管理することができる。また、オペレータごとにパスワードを設定して、被験者データをオペレータごとに管理することも可能である。
【００３１】
以上のように、本実施形態の内視鏡システム１０においては、被験者データのみをメモリカード８０に記録させることにより、被験者データの一元的な管理が可能である。このため、医師等のオペレータは、望む被験者の検査被験者データを容易に利用できる。そして内視鏡装置のプロセッサではなく、外部コンピュータによる被験者データの読出し、加工が可能であることから、被験者データの処理が容易である。さらに、パスワードを用いたアクセス制限によって個人情報が外部に漏洩することを防ぎ、被験者データを確実に保護できる。
【００３２】
内視鏡システム１０において使用される内視鏡装置は、電子内視鏡装置２０のみであっても良い。
【００３３】
被験者データの読出し、加工のための外部コンピュータは、被験者データの集中的な管理のために、一台のみ使用されることが好ましいが、これには限定されない。また、外部コンピュータを使用せずに、プロセッサ４０のシステムコントロール回路４２によって被験者データを読出し、モニタ６０の画面上に表示させても良い。
【００３４】
データ用メモリに記録されていた被験者データがメモリカード８０に記録されたとき、パスワードの再入力を要求せずに、被験者データのうちメモリカード８０に記録されたものを被験者データ用メモリから自動的に消去しても良い。
【００３５】
被験者データの作成は、被写体の観察後であっても良い。また、作成された被験者データを、しばらくの期間、内部メモリ５２に記録させておき、その後、メモリカード８０に記録させても良い。この場合、内部メモリ５２からメモリカード８０に被験者データを移動させるためには、再度パスワードの入力が要求される。また、メモリカード８０には、被験者データとともに画像データを記録させても良い。
【００３６】
読出用パスワードとして、被験者データをメモリカード８０に記録させるためのパスワードと異なるものを設定しても良い。
【図面の簡単な説明】
【００３７】
【図１】本実施形態における内視鏡システムに含まれる電子内視鏡装置のブロック図である。
【符号の説明】
【００３８】
１０  内視鏡システム
２０  電子内視鏡装置（内視鏡装置）
４２  システムコントロール回路（記録手段・データ消去手段）
５２  内部メモリ
６０  モニタ（警告手段）
７０  キーボード（パスワード設定手段）
８０  メモリカード（記録媒体）
【図１】
2007075324.tif 000003